(57)【特許請求の範囲】
【請求項１】
ボディ本体と、
前記ボディ本体に設けられ、平板部を有する記録媒体を挿抜するための挿抜口と、
前記挿抜口から挿入された前記記録媒体を収容する記録媒体収容部と、
前記記録媒体収容部の側壁に設けられて、該側壁から前記記録媒体収容部、前記挿抜口に至る照明経路に照明光を供給する照明部と、
前記照明部が設けられた前記記録媒体収容部の前記側壁と略直交し且つ前記挿抜口に隣接して設けられて、前記照明部から前記記録媒体の抜去方向に発せられた光を遮る遮光壁と、
を具備し、
前記挿抜口は、互いの長手方向を揃えて略平行に設けられた、第１挿抜口及び第２挿抜口を有し、
前記記録媒体収容部は、それぞれ前記記録媒体を収容可能であって、前記第１挿抜口に対応する第１記録媒体収容部及び前記第２挿抜口に対応する第２記録媒体収容部を有し、
前記照明部は、前記第１記録媒体収容部の側壁に設けられた第１照明部及び前記第２記録媒体収容部の側壁に設けられた第２照明部を有し、
前記第１挿抜口から前記第１照明部までの前記記録媒体の挿入方向の離間距離は、前記第２挿抜口から前記第２照明部までの前記記録媒体の挿入方向の離間距離と異なることを特徴とする光学機器。
【請求項２】
請求項１記載の光学機器において、
前記第１照明部と前記第２照明部はそれぞれ、前記第１記録媒体収容部と前記第２記録媒体収容部のそれぞれに収容された前記記録媒体の平板部を照らす、光学機器。
【請求項３】
請求項１または２記載の光学機器において、
前記第１照明部と前記第２照明部のそれぞれから発せられた光を拡散する光拡散部材をさらに具備する光学機器。
【請求項４】
請求項３記載の光学機器において、
前記光拡散部材は、前記第１照明部の発光面を覆うシート状の第１光拡散部材と、前記第２照明部の発光面を覆うシート状の第２光拡散部材を有する光学機器。
【請求項５】
請求項１ないし４のいずれか１項記載の光学機器において、
前記挿抜口の長手方向に延びる回転開閉軸によって前記ボディ本体に軸支され、前記第１挿抜口と前記第２挿脱口を前記ボディ本体の外側から塞ぐ閉塞状態と前記挿抜口を開放する開放状態との間で回転開閉可能に構成された蓋部をさらに具備し、
前記第１照明部と前記第２照明部はそれぞれ、前記第１記録媒体収容部と前記第２記録媒体収容部のうち、前記第１挿抜口と前記第２挿抜口を挟んで前記蓋部の前記回転開閉軸が設けられた側と反対側の側壁に設けられている、光学機器。
【請求項６】
請求項１ないし５のいずれか１項記載の光学機器において、
前記第１挿抜口から前記第１照明部までの前記記録媒体の挿入方向の離間距離は、前記第２挿抜口から前記第２照明部までの前記記録媒体の挿入方向の離間距離よりも短い、光学機器。
【請求項７】
請求項１ないし６のいずれか１項記載の光学機器において、
前記第１挿抜口及び前記第２挿抜口は、前記記録媒体の挿抜方向と、前記記録媒体の平板部と直交する方向との双方に直交する方向に位置が異なるようにオフセット配置され、
前記第１照明部及び前記第２照明部は、前記第１挿抜口及び前記第２挿抜口のオフセット配置に応じてオフセット配置される、光学機器。
【発明の詳細な説明】
【技術分野】
【０００１】
本発明は、光学機器に関する。
【背景技術】
【０００２】
従来、光学機器（カメラ等の撮影装置）のボディの外面に設けられた操作部を照明する照明装置を、夜間撮影の補助として備える光学機器が知られている（特許文献１）。この特許文献１に開示された撮影装置は、カード（記録媒体）を挿抜するための挿抜口と、この挿抜口から挿入されたカードを収容するカード収容部とを有している。さらに、この撮影装置は、撮影装置のグリップ部の内部に照明窓を備えており、カード収容部の外に設けられた照明装置から発せられた照明光が照明窓から出射されることで、挿抜口が照明装置によって直接的に照射される。
【先行技術文献】
【特許文献】
【０００３】
【特許文献１】特開２００５−２２７４９５号公報
【特許文献２】特開平０８−０２２０５７号公報
【発明の概要】
【発明が解決しようとする課題】
【０００４】
しかしながら、従来の撮影装置では、カードの未収容時及びカードの収容完了時に、照明窓から出射された照明光が挿抜口から直接的に外部へ出力されてしまう、つまり、高出力の照明光が撮影装置の外部に直接的に漏れ出てしまう。このため、ユーザのみならず第三者の目に入り不快感を与える恐れがある。
【０００５】
本発明は、以上の問題意識に基づいてなされたものであり、記録媒体挿抜の補助照明を有し、記録媒体の未収容時及び記録媒体の収容完了時において外部に直接的に漏れる該補助照明の光を低減して、ユーザや第三者の目に入って眩しく感じる等の不快感をユーザや第三者に対して与えることを回避することができる、光学機器を提供することを目的とする。
【課題を解決するための手段】
【０００６】
本発明の光学機器は、ボディ本体と、前記ボディ本体に設けられ、平板部を有する記録媒体を挿抜するための挿抜口と、前記挿抜口から挿入された前記記録媒体を収容する記録媒体収容部と、前記記録媒体収容部の側壁に設けられて、該側壁から前記記録媒体収容部、前記挿抜口に至る照明経路に照明光を供給する照明部と、前記照明部が設けられた前記記録媒体収容部の前記側壁と略直交し且つ前記挿抜口に隣接して設けられて、前記照明部から前記記録媒体の抜去方向に発せられた光を遮る遮光壁と、を具備し、前記挿抜口は、互いの長手方向を揃えて略平行に設けられた、第１挿抜口及び第２挿抜口を有し、前記記録媒体収容部は、それぞれ前記記録媒体を収容可能であって、前記第１挿抜口に対応する第１記録媒体収容部及び前記第２挿抜口に対応する第２記録媒体収容部を有し、前記照明部は、前記第１記録媒体収容部の側壁に設けられた第１照明部及び前記第２記録媒体収容部の側壁に設けられた第２照明部を有し、前記第１挿抜口から前記第１照明部までの前記記録媒体の挿入方向の離間距離は、前記第２挿抜口から前記第２照明部までの前記記録媒体の挿入方向の離間距離と異なることを特徴とする。
【０００８】
前記光学機器において、前記第１照明部と前記第２照明部はそれぞれ、前記第１記録媒体収容部と前記第２記録媒体収容部のそれぞれに収容された前記記録媒体の平板部を照らしてもよい。
【０００９】
前記光学機器は、前記第１照明部と前記第２照明部のそれぞれから発せられた光を拡散する光拡散部材をさらに具備してもよい。
【００１０】
前記光学機器は、前記挿抜口の長手方向に延びる回転開閉軸によって前記ボディ本体に軸支され、前記第１挿抜口と前記第２挿脱口を前記ボディ本体の外側から塞ぐ閉塞状態と前記挿抜口を開放する開放状態との間で回転開閉可能に構成された蓋部をさらに具備し、前記第１照明部と前記第２照明部はそれぞれ、前記第１記録媒体収容部と前記第２記録媒体収容部のうち、前記第１挿抜口と前記第２挿抜口を挟んで前記蓋部の前記回転開閉軸が設けられた側と反対側の側壁に設けられていてもよい。
【００１１】
前記光拡散部材は、前記第１照明部の発光面を覆うシート状の第１光拡散部材と、前記第２照明部の発光面を覆うシート状の第２光拡散部材を有することが好ましい。
【００１２】
前記光学機器において、前記第１挿抜口から前記第１照明部までの前記記録媒体の挿入方向の離間距離は、前記第２挿抜口から前記第２照明部までの前記記録媒体の挿入方向の離間距離よりも短くてもよい。
【００１３】
前記第１挿抜口及び前記第２挿抜口は、前記記録媒体の挿抜方向と、前記記録媒体の平板部と直交する方向との双方に直交する方向に位置が異なるようにオフセット配置され、前記第１照明部及び前記第２照明部は、前記第１挿抜口及び前記第２挿抜口のオフセット配置に応じてオフセット配置されていてもよい。
【発明の効果】
【００１４】
本発明によれば、記録媒体挿抜の補助照明を有し、記録媒体の未収容時及び記録媒体の収容完了時において外部に直接的に漏れる該補助照明の光を低減して、ユーザや第三者の目に入って眩しく感じる等の不快感をユーザや第三者に対して与えることを回避することができる、光学機器を得ることができる。
【図面の簡単な説明】
【００１５】
【図１】一実施形態のデジタルカメラのカメラ本体を前方から見た斜視図である。
【図２】一実施形態のデジタルカメラのカメラ本体を後方から見た斜視図である。
【図３】一実施形態のデジタルカメラのカメラ本体のうちカード保持ユニットの周辺を拡大した図である。
【図４】図３のIV−IV矢視断面図である。
【図５】一実施形態のデジタルカメラのカメラ本体のうちケーブルレリーズ挿入ユニットの周辺を拡大した図である。
【図６】図５のVI−VI矢視断面図である。
【図７】一実施形態のデジタルカメラのカメラ本体のうちマウント部の周辺を拡大した図である。
【図８】図７のVIII−VIII矢視断面図である。
【発明を実施するための形態】
【００１６】
以下に、本発明の撮影装置の一実施形態を図面に基づいて詳細に説明する。なお、この実施形態により本発明の光学機器が限定されるものではない。また、以下の説明中の方向（前後方向、上下方向、左右方向）は、図中に記載した矢線の各方向を基準とする。
【００１７】
図１及び図２は、本発明の一実施形態のデジタルカメラ（電子機器、光学機器、撮影装置）のカメラ本体１０を示す図である。このデジタルカメラはレンズ交換式の一眼レフカメラであり、カメラ本体１０に対して不図示の交換レンズ（レンズ鏡筒）を着脱することができる。図１に示す一点鎖線Ｏは交換レンズの撮影光学系の光軸であり、光軸Ｏに沿って被写体光がカメラ本体１０内に入射する。図１及び図２に示すように、前方が被写体側となる。通常の撮影姿勢ではカメラ本体１０の後方に撮影者が位置し、上下方向や左右方向は、カメラ本体１０を略水平に構えた状態で撮影者から見た方向に対応したものとなる。
【００１８】
図１に示すように、カメラ本体１０の前面には、交換レンズを着脱する環状のマウント部１１が設けられている。マウント部１１の内側は被写体光を通過させる光路用の開口部になっており、この開口部の後方のカメラ本体１０の内部には箱型のミラーボックス１２がある。ミラーボックス１２内には左右方向に向く軸を中心として回動可能なクイックリターンミラー１３が設けられている。クイックリターンミラー１３は、図示を省略するミラー駆動機構によって、カメラ本体１０内の撮影光路上に斜設されたミラーダウン位置（図１に示す位置）と、撮影光路から上方に退避したミラーアップ位置の間で回動する。カメラ本体１０の中央上部には、図示を省略するペンタプリズムを収容したペンタプリズム部１８が設けられている。クイックリターンミラー１３の上方にはペンタプリズムを含む観察光学系が配されており、クイックリターンミラー１３がミラーダウン位置にある状態では、被写体光を観察光学系に導き、カメラ本体１０の後面に設けた接眼窓１４（図２）を通して被写体像を光学的に観察することができる。
【００１９】
図示を省略するが、カメラ本体１０内にはクイックリターンミラー１３の後方に位置するシャッタ（フォーカルプレーンシャッター）と撮像素子が設けられており、クイックリターンミラー１３をミラーアップ位置に回動させてシャッタを開くと、撮像素子に被写体光が入射する。撮像素子で受光した被写体光は光電変換され、画像生成回路によって電子的な画像データに変換される。図２に示すように、カメラ本体１０の後面には液晶モニタ１５が設けられており、被写体画像やカメラに関する各種情報を液晶モニタ１５に表示することができる。
【００２０】
カメラ本体１０は、マウント部１１、ミラーボックス１２及びペンタプリズム部１８などを有する中央の光学系収容部分に対して、右側に位置するグリップ部１６と、左側に位置する左側突出部１７を有している。グリップ部１６は、前方へ突出する指掛け部１６ａからカメラ本体１０の後面における液晶モニタ１５の右側領域までを含む部分であり、指掛け部１６ａに指を掛けて撮影者の右手で把持することを想定した形状になっている。グリップ部１６の側面に吊り金具（突起部）１９Ａが突設され、左側突出部１７の側面と前面の境界部分には吊り金具１９Ｂが突設されている。吊り金具１９Ａと吊り金具１９Ｂは、図示を省略するストラップの支持に用いられる。
【００２１】
カメラ本体１０の外面にはダイヤルやボタンなどの各種の操作部材が設けられている。カメラ本体１０におけるペンタプリズム部１８の左右の上面部分には、複数のダイヤルが配置され、カメラ本体１０の後面側には、液晶モニタ１５の上側と右側に複数のボタンが配置されている。グリップ部１６の指掛け部１６ａの上面には、照明ボタン２０、電源スイッチ２１、レリーズボタン２２、２つの押しボタン２３、コマンドダイヤル２４が設けられている。電源スイッチ２１によってカメラの電源オンオフを行い、電源オンの状態でレリーズボタン２２を押し込むことで一連の撮影動作が行われる。押しボタン２３やコマンドダイヤル２４によって操作する機能は任意であるが、一例として、押しボタン２３の押し込みによって露出補正やＩＳＯ感度の設定などの設定モードに入り、コマンドダイヤル２４の回転によって設定値を変化させることができる。また、照明ボタン２０は、例えば、ＬＥＤ（補助照明）３４，３６，４３，５１に対する点灯消灯の操作に用いられる。
【００２２】
グリップ部１６の指掛け部１６ａの前面下部にはリモコン受光窓２５が設けられており、図示を省略する無線型のリモートコントローラーからの赤外線信号をリモコン受光窓２５で受信する。グリップ部１６の内部に電池収納室２８（図４）が形成され、カメラ本体１０の下面に設けた開閉可能な電池蓋を開くことで電池収納室への電池の挿脱を行うことができる。また、カメラ本体１０の下面には三脚ネジ部が形成されている。電池蓋及び三脚ネジ部は図面には表れていない。
【００２３】
グリップ部１６のうち指掛け部１６ａよりも後方部分には、カード保持ユニット３０が設けられている。図１に示すように、このカード保持ユニット３０は、グリップ部１６の側面（カメラ本体１０の右側面の後縁付近）に設けられ、開閉可能なカード蓋３１が設けられている。
【００２４】
図３及び図４に示すように、カード蓋（蓋部）３１の内側には、図示を省略している平板状のメモリカード（例えば、画像データ記録用の記録媒体）を挿脱可能な２つのカードスロット３２及びカードスロット３３が設けられている。カードスロット３２及びカードスロット３３は、上下方向（メモリカードの平板面に直交する方向及び挿抜方向の双方に直交する方向）で互いにオフセット配置されている。
【００２５】
カードスロット３２は、カードスロット３３よりも前側に位置しており、メモリカードを挿抜するための挿抜口３２Ａと、挿抜口３２Ａの奥（左側）に位置して挿抜口３２Ａから挿入されたメモリカードを収容するカード収容部３２Ｂとを有している。
【００２６】
カード収容部３２Ｂは、挿入されたメモリカードが位置する収容空間３２Ｃと、収容空間３２Ｃの後側に位置する非収容空間（隙間）３２Ｄとを含んでいる。非収容空間（隙間）３２Ｄを挟んで収容空間３２Ｃと反対側には、メイン基板２６が設けられており、このメイン基板２６は、メモリカードの挿抜方向（左右方向）で非収容空間（隙間）３２Ｄに沿って延びるように配設されている。
【００２７】
また、カード収容部３２Ｂの内部には、カード収容部３２Ｂ、挿抜口３２Ａに至る照明経路に照明光を供給するＬＥＤ（補助照明、照明部）３４が設けられている。具体的には、ＬＥＤ３４は、メイン基板２６の前面、つまり、カード収容部３２Ｂの後側壁３２Ｅに設けられている。これにより、挿抜口３２Ａからカメラ本体１０の外部に直接的に漏れる光を低減することができ、ユーザや第三者の目に入って眩しく感じる等の不快感をユーザや第三者に対して与えることを回避することができる。また、カード収容部３２Ｂの内部及びカード収容部３２Ｂの内部から挿抜口３２Ａをピンポイントで照らすことができるので、カードスロット３２を効率良く照らすことができ、暗闇におけるカードスロット３２の視認性を高めることができる。結果として、暗闇におけるカードスロット３２へのメモリカードの挿抜操作の操作性を向上させることができる。また、カードスロット３２に対するメモリカードの挿入時には、ＬＥＤ３４は、非収容空間（隙間）３２Ｄを介してメモリカードの平板面を照らすことができる。これにより、メモリカードを広範囲に照らすことができるので、メモリカードの抜去操作の操作性を向上させることができる。
【００２８】
このＬＥＤ３４の発光面は、ＬＥＤ３４から発せられた光を拡散する拡散シート（光拡散部材）３５に覆われている。これにより、カード収容部３２Ｂの内部及びカード収容部３２Ｂの内部から挿抜口３２Ａを広範囲に効率良く照らすことができる。ここで、拡散シート（光拡散部材）３５は、必ずしもＬＥＤ３４の発光面を覆っている必要はなく、例えば、ＬＥＤ３４の発光面と挿抜口３２Ａとの間に配置されていてもよい。要するに、ＬＥＤ３４から発せられた光を拡散シート（光拡散部材）３５によって広く拡散することができればよい。
【００２９】
また、ＬＥＤ３４が設けられたカード収容部３２Ｂの後側壁３２Ｅの右側には、後側壁３２Ｅと略直交するように位置し且つ挿抜口３２Ａに後側で隣接した右側壁３２Ｆが設けられている。別言すれば、ＬＥＤ３４は、挿抜口３２Ａよりも一段後側に位置している。このため、ＬＥＤ３４からメモリカードの抜去方向に発せられて非収容空間（隙間）３２Ｄを通過した光の大部分を、右側壁（遮光壁）３２Ｆで確実に遮光することができる。これにより、メモリカードの未収容時及び収容完了時においてＬＥＤ３４の光が挿抜口３２Ａから直接的にカメラ本体１０の外部に漏れることを確実に回避することができる。
【００３０】
一方、カードスロット３３は、メモリカードを挿抜するための挿抜口３３Ａと、挿抜口３３Ａの奥（左側）に位置して挿抜口３３Ａから挿入されたメモリカードを収容するカード収容部３３Ｂとを有している。このカード収容部３３Ｂと、カード収容部３２Ｂとは、メイン基板２６によって仕切られている。すなわち、メイン基板２６は、カード収容部３３Ｂとカード収容部３２Ｂの仕切壁となっている。
【００３１】
カード収容部３３Ｂは、挿入されたメモリカードが位置する収容空間３３Ｃと、収容空間３３Ｃの後側に位置する非収容空間（隙間）３３Ｄとを含んでいる。非収容空間（隙間）３３Ｄを挟んで収容空間３３Ｃと反対側には、スイッチ基板２７が設けられており、このスイッチ基板２７は、メモリカードの挿抜方向（左右方向）で非収容空間（隙間）３３Ｄに沿って延びるように配設されている。
【００３２】
また、カード収容部３３Ｂの内部には、カード収容部３３Ｂ、挿抜口３３Ａに至る照明経路に照明光を供給するＬＥＤ（補助照明、照明部）３６が設けられている。具体的には、ＬＥＤ３６は、スイッチ基板２７の前面、つまり、カード収容部３３Ｂの後側壁３３Ｅに設けられている。これにより、カードスロット３２と同様に、挿抜口３３Ａからカメラ本体１０の外部に直接的に漏れる光を低減することができ、ユーザや第三者の目に入って眩しく感じる等の不快感をユーザや第三者に対して与えることを回避することができる。また、カードスロット３２と同様に、暗闇におけるカードスロット３３へのメモリカードの挿抜操作の操作性を向上させることができる。
【００３３】
このＬＥＤ３６の発光面は、ＬＥＤ３６から発せられた光を拡散する拡散シート（光拡散部材）３７に覆われている。これにより、カード収容部３３Ｂの内部及びカード収容部３３Ｂの内部から挿抜口３３Ａを広範囲に効率良く照らすことができる。ここで、拡散シート（光拡散部材）３７は、必ずしもＬＥＤ３６の発光面を覆っている必要はなく、例えば、ＬＥＤ３６の発光面と挿抜口３３Ａとの間に配置されていてもよい。要するに、ＬＥＤ３６から発せられた光を拡散シート（光拡散部材）３７によって広く拡散することができればよい。
【００３４】
また、ＬＥＤ３６が設けられたカード収容部３３Ｂの後側壁３３Ｅの右側には、後側壁３３Ｅと略直交するように位置し且つ挿抜口３３Ａに後側で隣接した右側壁３３Ｆが設けられている。別言すれば、ＬＥＤ３６は、挿抜口３３Ａよりも一段後側に位置している。このため、ＬＥＤ３６からメモリカードの抜去方向に発せられて非収容空間（隙間）３３Ｄを通過した光の大部分を、右側壁（遮光壁）３３Ｆで確実に遮光することができる。これにより、メモリカードの未収容時及び収容完了時においてＬＥＤ３６の光が挿抜口３３Ａから直接的にカメラ本体１０の外部に漏れることを確実に回避することができる。
【００３５】
ここで、カード蓋（蓋部）３１は、挿抜口３２Ａよりも前側で挿抜口３２Ａの長手方向（挿入されたメモリカードの平板面に直交する方向及び挿抜方向の双方に直交する方向）に延びる回転開閉軸３１Ａによってカメラ本体１０に軸支され、挿抜口３２Ａ及び挿抜口３３Ａをカメラ本体１０の外側から塞ぐ閉塞状態（図１及び図２に示す状態）と挿抜口３２Ａ及び挿抜口３３Ａを開放する開放状態との間で回転開閉可能に構成されている。このため、開放状態では、カード蓋３１は、挿抜口３２Ａよりも前側に位置している。すなわち、開放状態においてカード蓋３１は、挿抜口３２Ａを挟んでＬＥＤ３４と反対側に位置しており、且つ、挿抜口３３Ａを挟んでＬＥＤ３６と反対側に位置している。これにより、挿抜口３２Ａ及び挿抜口３３Ａから漏れ出てしまった光を、カード蓋３１で確実に遮光することができる。すなわち、開放状態のカード蓋３１は、光がカメラ本体１０の前方に漏れるのを防止している。
【００３６】
また、ＬＥＤ３４及びＬＥＤ３６は、カードスロット３２及びカードスロット３３の上下方向のオフセット配置（挿抜口３２Ａ及び挿抜口３３Ａのオフセット配置）に応じて、上下方向にオフセット配置されている。これにより、カードスロット３２とカードスロット３３の間の識別性を高めることができる。
【００３７】
また、ＬＥＤ３４及びＬＥＤ３６は、左右方向（カードスロットの挿抜方向）においてオフセット配置されている。すなわち、挿抜口３２ＡからＬＥＤ３４までの挿抜方向の離間距離は、挿抜口３３ＡからＬＥＤ３６までの挿抜方向の離間距離と異なっている。具体的には、挿抜口３３ＡからＬＥＤ３６までの挿抜方向の離間距離は、挿抜口３２ＡからＬＥＤ３４までの挿抜方向の離間距離よりも短くなっている。これにより、カードスロット３２とカードスロット３３の間の識別性を高めることができる。
【００３８】
また、メイン基板２６の右端面と右側壁３２Ｆとは離間している。すなわち、カード収容部３２Ｂとカード収容部３３Ｂとは、メイン基板２６の右端面と右側壁３２Ｆとの間で連通している。これにより、ＬＥＤ３６で発せられた光の一部は、挿抜口３２Ａをカード収容部３２Ｂの内部側から照らすことができる。このため、ＬＥＤ３４及びＬＥＤ３６に対しては、次のような発光制御を行うことができる。例えば、カードスロット３２及びカードスロット３３の両方がメモリカードの未挿入状態であるとき、又は、カードスロット３２がメモリカードの挿入完了状態で且つカードスロット３３が未挿入状態であるときには、ＬＥＤ３４を点灯させずＬＥＤ３６のみを点灯させてもよい。これにより、省電力化を図ることができる。
【００３９】
カード保持ユニット３０の下側には、ケーブルレリーズ挿入ユニット４０が設けられている。図１に示すように、カード蓋３１の下部には、開閉可能なレリーズ蓋４１が設けられている。
【００４０】
図５及び図６に示すように、レリーズ蓋４１の内側には、図示を省略しているケーブルレリーズ（有線接続のレリーズ操作部材）の端子ピンを挿脱可能な中空円筒状の環状端子（ケーブルレリーズ挿入部）４２が設けられている。すなわち、環状端子４２は、右端開口４２Ｂ及び左端開口４２Ｃを有して、左右に貫通する貫通孔４２Ａが設けられている。また、環状端子４２の外側面には、メイン基板２６の位置決め孔２６Ａに挿入されるボス４２Ｄが設けられている。このボス４２Ｄが位置決め孔２６Ａに挿入されることにより、環状端子４２がメイン基板２６に対して位置決め固定される。また、環状端子４２の外側面には、メイン基板２６と接続される接点部（図示略）が設けられている。貫通孔４２Ａに対してケーブルレリーズ（有線接続のレリーズ操作部材）の端子ピンが挿入されることにより、ケーブルレリーズとメイン基板２６とが電気的に接続される。
【００４１】
環状端子４２の左端よりも左側（カメラ本体１０の奥側）で且つメイン基板２６の前面上には、ＬＥＤ４３が設けられている。換言すれば、環状端子４２の左端よりも左側（カメラ本体１０の奥側）で且つ貫通孔４２Ａを仮想的に延長した空間を避けた位置に、ＬＥＤ（補助照明）４３が設けられている。これにより、貫通孔４２Ａの右端開口４２Ｂからカメラ本体１０の外部に直接的に漏れる光を低減することができ、ユーザや第三者の目に入って眩しく感じる等の不快感をユーザや第三者に対して与えることを回避することができる。また、貫通孔４２Ａの左端開口４２Ｃ側から貫通孔４２Ａの内部及び右端開口４２Ｂを照らすことができるので、環状端子４２を効率良く照らすことができ、暗闇における環状端子４２の視認性を高めることができる。結果として、暗闇における環状端子４２へのケーブルレリーズの端子ピンの挿抜操作の操作性を向上させることができる。
【００４２】
このＬＥＤ４３の発光面は、ＬＥＤ４３から発せられた光を拡散する拡散シート（拡散部材）４４に覆われている。これにより、貫通孔４２Ａの内部及び右端開口４２Ｂを広範囲に効率良く照らすことができる。ここで、拡散シート（拡散部材）４４は、必ずしもＬＥＤ４３の発光面を覆っている必要はなく、例えば、ＬＥＤ４３の発光面と右端開口４２Ｂとの間に配置されていてもよい。要するに、ＬＥＤ４３から発せられた光を拡散シート（拡散部材）４４によって広く拡散することができればよい。
【００４３】
図１、図７、図８に示すように、カメラ本体１０の前面においてマウント部１１の上方には、前方に突出する前面突出部２９が設けられている。前面突出部２９の左右中央とマウント部１１の左右中央とは略一致している。この前面突出部２９には、照明部５０が設けられている。具体的には、照明部５０は、左右方向ではマウント部１１の左右中央（前面突出部２９の左右中央）よりも右側で、前後方向ではマウント部１１よりも前側で、上下方向ではマウント部１１より上側に配設されている。この照明部５０は、下方に向けて光を照射する。
【００４４】
具体的には、照明部５０は、発光面を下向きにして配設されたＬＥＤ（補助照明）５１と、配光部材５２とを有している。配光部材５２は、ＬＥＤ５１の発光面と略平行に対向配置された入射面５２Ａと、入射面５２Ａと反対側に位置して後方に進む程マウント部１１との離間距離が小さくなるように傾斜して配置された出射面５２Ｂとを有している。出射面５２Ｂは、前面突出部２９の左右中央よりも右側で且つ前面突出部２９の下面２９Ａに設けられた露出開口部５３からカメラ本体１０の外部に露出している。配光部材５２は、例えば光透過性の樹脂から構成されており、空気よりも大きな屈折率を有している。このため、ＬＥＤ５１から発せられ出射面５２Ｂに達した光は、出射面５２Ｂから後方に向けて屈折されて射出され、カメラ本体１０の前面（つまり、マウント部１１）を照らす。これにより、カメラ本体１０を正面から見たときに、出射面５２Ｂから出射された光がユーザや第三者の目に入って眩しく感じる等の不快感をユーザや第三者に対して与えることを回避することができる。
【００４５】
特に、マウント部１１には、カメラレンズ（図示略）のレンズ側指標の位置と合わせることで、カメラレンズ（図示略）とマウント部１１との適切な装着位置をユーザが視認できる、マウント部側指標１１Ａが設けられている。このマウント部側指標１１Ａは、マウント部１１の左右中央よりも右側に配置されている。上述の通り、露出開口部５３も前面突出部２９の左右中央（マウント部１１の左右中央）よりも右側に配置されているので、マウント部側指標１１Ａを効率良く照らすことができる。結果として、カメラレンズ（図示略）の装着操作の操作性を向上させることができる。
【００４６】
なお、カメラ本体１０では、ＬＥＤ（補助照明）３４，３６，４３，５１のそれぞれに対して、及び、これらの任意の組み合わせに対して、点灯モード又は消灯モードのいずれかを設定することができる。ＬＥＤ（補助照明）３４，３６，４３，５１のうちで点灯モードが設定されたＬＥＤは、照明ボタン２０が初期状態で押されたときに点灯し、次に押されたときに消灯してもよい。又は、ＬＥＤ（補助照明）３４，３６に点灯モードが設定されているケースにおいて、カード蓋（蓋部）３１が開かれたときに、ＬＥＤ（補助照明）３４，３６が自動的に点灯し、カード蓋（蓋部）３１が閉じられたときに、ＬＥＤ（補助照明）３４，３６が自動的に消灯してもよい。同様に、ＬＥＤ（補助照明）４３に点灯モードが設定されているケースにおいて、レリーズ蓋４１が開かれたときに、ＬＥＤ（補助照明）４３が自動的に点灯し、レリーズ蓋４１が閉じられたときに、ＬＥＤ（補助照明）４３が自動的に消灯してもよい。又は、ＬＥＤ（補助照明）５１に点灯モードが設定されているケースにおいて、マウント部１１から交換レンズが離脱されたときに、ＬＥＤ（補助照明）５１が自動的に点灯し、マウント部１１に交換レンズが装着されたときに、ＬＥＤ（補助照明）５１が自動的に消灯してもよい。
また、カード蓋３１が開かれたこと、レリーズ蓋４１が開かれたこと、及び、交換レンズがマウント部１１から離脱されたことの少なくともいずれか１つが満たされたとき、カメラ本体１０の電源がＯＦＦするようにしてもよい。そして、例えば、この電源ＯＦＦのタイミングまでの所定時間の間、ＬＥＤ（補助照明）３４，３６，４３，５１のすべてが点灯してもよいし、カード蓋３１が開かれて電源ＯＦＦした場合には、ＬＥＤ３４，３６のみが点灯し、レリーズ蓋４１が開かれて電源ＯＦＦした場合には、ＬＥＤ４３のみが点灯し、交換レンズがマウント部１１から離脱されて電源ＯＦＦした場合には、ＬＥＤ５１のみが点灯してもよい。
【符号の説明】
【００４７】
１０  カメラ本体（電子機器、光学機器、撮影装置）
１１  マウント部
１１Ａ  マウント部側指標
１２  ミラーボックス
１３  クイックリターンミラー
１４  接眼窓
１５  液晶モニタ
１６  グリップ部
１６ａ  指掛け部
１７  左側突出部
１８  ペンタプリズム部
１９Ａ  吊り金具
１９Ｂ  吊り金具
２０  照明ボタン
２１  電源スイッチ
２２  レリーズボタン
２３  押しボタン
２４  コマンドダイヤル
２５  リモコン受光窓
２６  メイン基板
２６Ａ  位置決め孔
２７  スイッチ基板
２８  電池収納室
２９  前面突出部
２９Ａ  下面
３０  カード保持ユニット（記録媒体保持ユニット）
３１  カード蓋（蓋部）
３２，３３  カードスロット（記録媒体スロット）
３２Ａ，３３Ａ  挿抜口
３２Ｂ，３３Ｂ  カード収容部（記録媒体収容部）
３２Ｃ，３３Ｃ  収容空間
３２Ｄ，３３Ｄ  非収容空間（隙間）
３２Ｅ，３３Ｅ  後側壁
３２Ｆ，３３Ｆ  右側壁（遮光壁）
３４，３６  ＬＥＤ（補助照明、照明部）
３５，３７  拡散シート（光拡散部材）
４０  ケーブルレリーズ挿入ユニット
４１  レリーズ蓋
４２  環状端子（ケーブルレリーズ挿入部）
４２Ａ  貫通孔
４２Ｂ  右端開口
４２Ｃ  左端開口
４２Ｄ  ボス
４３  ＬＥＤ（補助照明）
４４  拡散シート（拡散部材）
５０  照明部
５１  ＬＥＤ（補助照明）
５２Ａ  入射面
５２Ｂ  出射面
５３  露出開口部
【図１】
0006657805.tif 000002
【図２】
0006657805.tif 000003
【図３】
0006657805.tif 000004
【図４】
0006657805.tif 000005
【図５】
0006657805.tif 000006
【図６】
0006657805.tif 000007
【図７】
0006657805.tif 000008
【図８】
0006657805.tif 000009